(57)【要約】【課題】仰臥位においても横臥位においても快適な姿勢を保つことができる枕を提供する。【解決手段】水が注入される袋状の枕本体２を備えた枕１であって、該枕本体２は、上向きに横臥した使用者の後頭部の略全面に面接触する後頭部支持部４０と、頸椎に対応する部位に面接触する頸椎支持部７０と、更に横向きに横臥した使用者の頬骨及び下顎骨に対応する部位に面接触する顎支持部６０とを有している。使用状態において、使用者の頭部及び首部と床面ＧＬとの間に形成される該枕本体２の内空において常時水が介在すると共に、使用者の頭部及び首部の自重により、該枕本体２の上面を構成する伸縮性膜材料の少なくとも一部には収縮方向への内部応力が発生した状態となる。【選択図】図１
2014068740.tif 000002
【特許請求の範囲】
【請求項１】
注水口が設けられ、該注水口を介して水が注入される袋状の枕本体を備え、
該枕本体に使用者の頭部が載置された際の使用者の頭頂方向を先端方向とし、使用者の首方向を基端方向とし、
該枕本体は、伸縮性膜材料で構成され、
さらに、水が注水された状態の該枕本体の上面であって平面視略中央には、該上面において周囲より高さが低い第１上面側凹部が形成され、該第１上面側凹部の左右両側には上方に向けて隆起するように隆起部が形成され、
さらに、該第１上面側凹部には、該第１上面側凹部から基端方向に向けて形成されている第２上面側凹部が連成され、該第２上面側凹部の底部が該第１上面側凹部から枕本体の基端に向かって上に凸に湾曲している湾曲部となっており、
また、該第１上面側凹部の底部は該枕本体の下面より高い位置に定められ、かつ該底部において、該枕本体の上面を構成する伸縮性膜材料と下面を構成する伸縮性膜材料とが接着されており、該接着された該底部には、該枕本体の上下方向に貫通した通気孔が形成され、しかも該枕本体の下面側にあって該通気孔の周囲が該通気孔の孔縁に向かって傾斜して下面側凹部が形成され、該枕本体が床面に置かれかつ使用者の頭部が載置された状態で該通気孔の孔縁と床面との間に下面側凹部によって空隙が形成されることとなるものであり、
また、前記第１上面側凹部の内周面部が、上向きに横臥した使用者の後頭部の略全面に面接触して該後頭部を支持する後頭部支持部とされ、
前記湾曲部が、上向きに横臥した使用者の頸椎に対応する部位に面接触して該部位を支持する頸椎支持部とされ、
前記隆起部が、横向きに横臥した使用者の頬骨に対応する部位に面接触し、かつ該使用者の下顎骨に対応する部位に面接触して該頬骨及び該下顎骨の各々に対応する部位を支持する顎支持部とされており、
前記枕本体に使用者の頭部が載置された使用状態で、該使用者の頭部と床面との間に形成される該枕本体の内空には水が介在していると共に、該枕本体の前記第１上面側凹部を構成する伸縮性膜材料、前記第２上面側凹部を構成する伸縮性膜材料、及び前記隆起部を構成する伸縮性膜材料のうち少なくともいずれかの一部に収縮方向への内部応力が発生している
ことを特徴とする枕。
【請求項２】
使用状態における、床面から前記隆起部の頂点までの高さＨ１、及び床面から前記通気孔の中心までの高さＨ２は、
Ｈ１：Ｈ２＝２：１〜３：１
であり、
前記Ｈ２は１５ｍｍ〜６５ｍｍである
請求項１に記載の枕。
【請求項３】
水が注入された枕本体に頭部が載置されない使用前状態にあって、前記通気孔の中心を通り、かつ前記枕本体の基端から先端に向かう軸線上で、該通気孔の中心から該枕本体の先端までの距離Ｓ１、及び該通気孔の中心から該枕本体の基端までの距離Ｓ２は、
Ｓ１≦Ｓ２
である
請求項１又は請求項２に記載の枕。
【請求項４】
前記枕本体の下面には、外縁が該枕本体に固着されている袋体が配設されており、さらに該袋体は、注入口を有し、該注入口を介して流体が注入されている
請求項１乃至請求項３のいずれか１項に記載の枕。
【請求項５】
前記枕本体からは、液体が注入された袋体が差し出されており、該袋体が折り返されることで、該袋体が該枕本体に載置された使用者の頭部上に載置可能となっている
請求項１乃至請求項４のいずれか１項に記載の枕。
【請求項６】
前記後頭部支持部、前記顎支持部、及び前記頸椎支持部のうち少なくともいずれかの部位を構成する湾曲面の主要部は、使用前において二次曲面の一部により構成されている
請求項１乃至請求項５のいずれか１項に記載の枕。 
【発明の詳細な説明】
【技術分野】
【０００１】
本発明は、人が睡眠する時等、臥位姿勢をとった際に頭部を支える枕に関する。
【背景技術】
【０００２】
人にとって睡眠は必要不可欠な行為であり、その睡眠をできる限り快適にしようと考えることは当然のことである。しかしながら、人はたびたび睡眠によって頸部痛（寝違えや頸椎捻挫）・顎関節障害（開口時痛や咀嚼時痛）・頭痛・肩こり・上肢のしびれ・眩暈等の不快感を抱くことがある。人が睡眠をとる時の姿勢は、その人が直立した時の姿勢と同じであることが最も好ましいことは以前から知られているが、上記不快感は睡眠時の姿勢、特に頭部の位置が原因で起こりやすくなることが考えられる。具体的には、頭部の位置が高すぎたり低すぎたり、角度が正常ではなかったりするために頸椎に負担がかかってしまっていたり、枕との接触部で応力が集中して血行不良を起こしていたり、気道が正常に確保されていなかったり、などが考えられている。このため、上記原因を排除し、睡眠をより快適にとるために様々な枕が考案され、開示されてきた。
【０００３】
例えば、特許文献１に開示された人体工学枕は、上向きに横臥した状態（以下仰臥位とも記載する）や、横向きに横臥した状態（以下横臥位とも記載する）において頭部、首部に接する箇所にあらかじめ凹凸が形成され、頭部及び首部を支える面積を増大させることで頭部及び首部にかかる荷重を分散している。
【０００４】
特許文献２に開示された乳児専用の枕は、柔軟性を有する合成樹脂を立体形状に形成し、内部に最大容積の３５％前後の液体を密封している。これにより、乳児の頭部の４割程度の接地面積を得ている。
【０００５】
特許文献３に開示された水枕は、袋体が２枚の膜を外周縁で接合して形成され、該袋体の２枚の膜を略中央部で接合して凹部が形成されている。
【０００６】
特許文献４に開示された頭・首の支持装置は、仰向け姿勢に横たわる新生児の頭と首とを支持するよう、ドーナツ状の形をしている。
【０００７】
特許文献５に開示された快適枕は、上記特許文献１と同様に、あらかじめ凹凸が形成されている。
【０００８】
特許文献６に開示された乳幼児用枕もまた、頭頂支持部、首当接部、凹み部を設けて凹凸が形成されている。
【０００９】
特許文献７に開示された枕は、首部を支持する首側部と頭頂側を支持する頭頂側部とを連結し、仰臥位から横臥位になったときには首側部と頭頂側部が追従して頭部及び首部を支持する。
【００１０】
特許文献８に開示された中空型枕は、頭部を支持するよう凹字状を形成し、さらにくぼんだ空間が底面まで続いており、使用者がうつ伏せになっても口、耳、鼻、眼及び顔を圧迫しない構成である。
【００１１】
特許文献９の流体寝具は、弾性体と気体が封入された気密性の袋体の上部に弾性対と液体が封入された、水密性の袋体からなり、主に流体の浮力を利用して人体（枕として使用する場合には頭部）を支える構成である。
【先行技術文献】
【特許文献】
【００１２】
【特許文献１】特開平１１−２６６９８５号公報
【特許文献２】特開２００１−４６２０２号公報
【特許文献３】特開２００２−１７２１２８号公報
【特許文献４】特表２００２−５３５０１９号公報
【特許文献５】特開２００５−１１８３９７号公報
【特許文献６】特開２００６−２３９０４７号公報
【特許文献７】特開２０１０−６３７０４号公報
【特許文献８】実用新案登録第３１６４０２９号公報
【特許文献９】特許第３６３０４２０号公報
【発明の概要】
【発明が解決しようとする課題】
【００１３】
しかしながら、例えば特許文献３、特許文献４、及び特許文献６に関する従来の枕は仰臥位で使用することを前提としたものであり、寝返りをうって横臥位になることは考慮されていない。また特許文献４、特許文献６、特許文献７、及び特許文献８に関しては、弾性を有していても枕の一部に頭部の荷重が集中するため、血行不良や荷重の偏りによる不快感を抱く可能性がある。更に特許文献５、特許文献６、特許文献７、特許文献８、及び特許文献９に関しては、枕の材質が弾性材料であったり、内部に綿や合成樹脂繊維、合成樹脂パイプ、連続気泡スポンジ等が充填されたりしたものであり、使用を続けると材質が劣化して十分な機能を発揮することができなくなる可能性がある。また、非流動性のものを充填しているため、頭部を載置したときに枕表面と頭部とが十分に面接触せず、枕の一部に頭部の荷重が集中するという問題もある。なお、人体の形状に対応して枕表面が変形する低反発性の枕も良く知られているが、寝返りを打った直後は従前の姿勢の形状が枕表面に残留してしまい、枕表面の即応性が悪く快適な寝心地が得られないことがある。また、仰臥位において人は呼吸時の胸郭の動きに連動して頸椎が僅かにしなる動きを示すが、従来、そのような頸椎の動きに即時対応して常時最適にこれを支持するものは未だ提供されていない。
【００１４】
また特許文献１、特許文献５、特許文献６、及び特許文献９に関しては、頭部を枕が覆うように支持して荷重を分散することができる反面、特に仰臥位において枕に覆われた後頭部が外気からほぼ完全に遮断されてしまうため、頭部から発する熱や汗が十分に発散されなかったり、頭皮に対する通気が悪くなったりする可能性がある。そして、頭部におけるうつ熱の蓄積量が時間経過に伴い増大してしまう問題が生ずる。更に特許文献２に関しては、吸湿性の高い布で全面を覆うことが記載されており、頭部から発する汗を吸収することができる可能性はあるが、後頭部の全面をほぼ覆う構成であるため、頭皮に対する通気が悪くなる可能性は防ぐ事ができない。そして特許文献３に関しては、「頭部を冷却するための」水枕に関するものであり、袋体の少なくとも一部が透湿膜であることが記載されているが、これは袋体内に注入された冷媒を気化させて気化熱による吸熱効果をもって該水枕の温度上昇を抑制するためのものであり、これもまた使用者の頭部から発する汗が十分に発散されなかったり、枕に覆われた後頭部において頭皮に対する通気が悪くなったりすることを防ぐことが期待できない。
【００１５】
そこで、本発明は、仰臥位においても横臥位においても、いわゆるパスカルの原理に基づき、姿勢変形や呼吸時又はいびき時の身体の動きに即時に追従して快適な姿勢を保つことができ、荷重が一箇所に片寄ることがなく、充填物の劣化による機能低下を防ぎ、更に仰臥位においても頭部の熱を十分に発散することができるとともに頭皮に対する通気が十分に確保され、うつ熱の蓄積量を飛躍的に低減できる枕を提供することを目的とする。
【課題を解決するための手段】
【００１６】
本発明は、注水口が設けられ、該注水口を介して水が注入される袋状の枕本体を備え、該枕本体に使用者の頭部が載置された際の使用者の頭頂方向を先端方向とし、使用者の首方向を基端方向とし、該枕本体は、伸縮性膜材料で構成され、さらに、水が注水された状態の該枕本体の上面であって平面視略中央には、該上面において周囲より高さが低い第１上面側凹部が形成され、該第１上面側凹部の左右両側には上方に向けて隆起するように隆起部が形成され、さらに、該第１上面側凹部には、該第１上面側凹部から基端方向に向けて形成されている第２上面側凹部が連成され、該第２上面側凹部の底部が該第１上面側凹部から枕本体の基端に向かって上に凸に湾曲している湾曲部となっており、また、該第１上面側凹部の底部は該枕本体の下面より高い位置に定められ、かつ該底部において、該枕本体の上面を構成する伸縮性膜材料と下面を構成する伸縮性膜材料とが接着されており、該接着された該底部には、該枕本体の上下方向に貫通した通気孔が形成され、しかも該枕本体の下面側にあって該通気孔の周囲が該通気孔の孔縁に向かって傾斜して下面側凹部が形成され、該枕本体が床面に置かれかつ使用者の頭部が載置された状態で該通気孔の孔縁と床面との間に下面側凹部によって空隙が形成されることとなるものであり、また、前記第１上面側凹部の内周面部が、上向きに横臥した使用者の後頭部の略全面に面接触して該後頭部を支持する後頭部支持部とされ、前記湾曲部が、上向きに横臥した使用者の頸椎に対応する部位に面接触して該部位を支持する頸椎支持部とされ、前記隆起部が、横向きに横臥した使用者の頬骨に対応する部位に面接触し、かつ該使用者の下顎骨に対応する部位に面接触して該頬骨及び該下顎骨の各々に対応する部位を支持する顎支持部とされており、前記枕本体に使用者の頭部が載置された使用状態で、該使用者の頭部と床面との間に形成される該枕本体の内空には水が介在していると共に、該枕本体の前記第１上面側凹部を構成する伸縮性膜材料、前記第２上面側凹部を構成する伸縮性膜材料、及び前記隆起部を構成する伸縮性膜材料のうち少なくともいずれかの一部に収縮方向への内部応力が発生していることを特徴とする枕を提供するものである。
【００１７】
前記枕本体の仰臥位における使用状態にあっては、使用者の頭部及び首部と、床面との間の枕本体内空に必ず適正量の水が介在し、使用者の頭部及び首部と、床面との間に形成された所定厚の水の層が形成された上で、これらが支持されている。また、上記したような枕本体の部位の伸縮性膜材料の少なくとも一部に収縮方向への内部応力が発生しており、この状態で頭部等が支持されている。つまり、上記状況にあっては、使用者の頭部等の自重に基づき、該枕本体には本来の基本形（使用者の頭部等が載置される前の形）に戻ろうとする力が発生しており、この力が、該枕本体の使用者との接触面において該使用者方向（鉛直上向き）に向かって作用し、いわば持ち上げ効果が生じている。また、頭部等を支持する際に水の浮力は利用しておらず、枕本体内において静水圧が発生している状態で上記持ち上げ効果が作用している。さらにまた、該枕本体内部は流動性を有する水で満たされているため、寝返り時の身体の動きや、あるいは呼吸時又はいびき時の肋骨や胸郭等のわずかな動きに対して、即時に表面が柔軟に変形し、該枕本体内の静水圧に由来するいわゆるパスカルの原理により、使用者との接触面に対して均等に圧力がかかって接触部位を包みこむ効果が得られる。例えば、仰臥位において人は呼吸時の胸郭の動きに連動して頸椎が僅かにしなる動きを示すが、そのしなり時に見られる、後頭部が枕本体の第１上面側凹部に向けて下降し、これに伴い頸椎が枕本体の湾曲部に対して上昇するような動きの際にも、パスカルの原理により湾曲部に対応する部位へ円滑に水が即時に流動し、対応部位に適切に面接触して確実にこれらを支持する。したがって、このような微細な人体の動きに対しても、本発明の枕は即時に反応し、常時最適に頭部及び首部を支持することができる。また、各使用者の体格差あるいは個性に応じて、枕形状が柔軟に対応する機能を備えているため、様々な体格の使用者が使用しても、頭部等の表面に対して荷重が一定箇所に集中することがなく、これに由来する睡眠時の不快感を好適に防止することができる。
【００１８】
また、前記枕本体の横臥位における使用状態にあっては、使用者の顎と、床面との間の枕本体内空に必ず適正量の水が介在し、使用者の顎と床面との間に形成された所定厚の水の層が形成された上で、頭部が支持されている。さらに詳述すると、横臥位の使用者の頬骨及び下顎骨の各々に対応する部位に、前記隆起部が形成されていることで、それぞれの部位が該隆起部に面接触し、荷重が一定箇所に集中することなく該部位を好適に支持している。また、かかる構成により、使用者が横臥位をとった際に下顎骨が正規位置から落下してしまうことを好適に防止しており、顎関節症時における顎円板（軟骨）の突出も抑制している。
【００１９】
さらに、前記第１上面側凹部の底部は該枕本体の下面より高い位置に定められ、かつ該枕本体の下面側にあって下面側凹部が形成され、該枕本体が床面に置かれかつ使用者の頭部が載置された状態で該通気孔の孔縁と床面との間に空隙が形成されることとされている。このように、通気孔を設けて有孔形状の枕本体とし、該通気孔を介して使用者の後頭部に対する通気を確保したため、例えば寝返りに伴う通気孔の開放の度に、後頭部周囲における輻射・対流が円滑になり、後頭部の発汗による不快感を防ぐことができる。また、枕本体に充填された水に使用者の後頭部や頸部から発生する熱が伝導され、該熱を好適に吸収することもできる。このため、頭部におけるうつ熱の蓄積量を飛躍的に低減することができる。さらには、仰臥位における頭部の最下端部が通気孔内に配されることで、該最下端部が枕本体あるいは床面に対して非接触となると共に、該最下端部の周辺が枕本体と面接触して第１上面側凹部を構成する伸縮性膜材料によって吊持されるような状態となる。このため、後頭部表面に対する応力集中がより一層確実に回避され、使用者は睡眠時等に不快感を抱かないようになる。
【００２０】
以上のように、本発明は、使用者の頭部及び首部を水（流体）の浮力で支えるのではなく、内部の静水圧及び収縮方向への内部応力が発生している枕本体で支持することを大きな特徴としている。
【００２１】
また、上記構成にあって、使用状態における、床面から前記隆起部の頂点までの高さＨ１、及び床面から前記通気孔の中心までの高さＨ２は、Ｈ１：Ｈ２＝２：１〜３：１であり、前記Ｈ２は１５ｍｍ〜６５ｍｍであることが望ましい。
【００２２】
かかる構成とすることによって、使用状態で使用者の頭部及び首部と床面との間に形成される該枕本体の内空には必ず十分な量の水が介在することとなり、使用時に適度な静水圧が発生する。しかも使用者が仰臥位にあるときも横臥位にあるときも該使用者が直立した時の姿勢と同じ状態を保つことができるようになり、使用者の脊椎に負担をかけることなく、仰臥位、あるいは横臥位の姿勢が得られることとなる。
【００２３】
また、水が注入された枕本体に頭部が載置されない使用前状態にあって、前記通気孔の中心を通り、かつ前記枕本体の基端から先端に向かう軸線上で、該通気孔の中心から該枕本体の先端までの距離Ｓ１、及び該通気孔の中心から該枕本体の基端までの距離Ｓ２は、Ｓ１≦Ｓ２であることが望ましい。
【００２４】
かかる構成のように、少なくとも距離Ｓ２を距離Ｓ１以上とすることにより、枕本体に水が注入されたときに距離Ｓ２に対応する前記湾曲部における床面からの高さを、距離Ｓ１に対応する部位のなかで最も床面から高い位置の高さに比して等高あるいは高く定めることができる。要は、距離Ｓ２を上記範囲で設定して通気孔の位置を枕本体の真ん中あるいはやや先端寄りに偏心させると、水が注入された枕本体が床面に載置された際に、該湾曲部、すなわち頸椎支持部に対応する部位の枕本体の内空に十分な量の水が内在することになり、これにより頸椎支持部の床面からの高さが、第１上面側凹部よりも頭頂方向に形成される部位に比して十分に確保され、これにより当該部分に、首部を支持し得るのに十分な静水圧を発生させることが可能となる。また、該頸椎支持部の高さを所望の値とすることにより、直立姿勢と同じような姿勢を保つべく、仰臥位の使用者の首部を無理なく適切に支持することが可能となる。なお、第１上面側凹部より頭頂方向に形成される部位は、前記湾曲部と異なり支持対象が存在しないため、該湾曲部のように所要高さが要求されるということがない。したがって、距離Ｓ２を上記範囲で設定することにより、枕本体内の水量を無駄に増やすことなく、仰臥位の使用者の頸椎に対応する部位について所要高さを確保し、該部位を好適に支持して頭部への負担を軽くすることができる。なお、使用状態で頸椎が僅かにしなり、後頭部が枕本体の第１上面側凹部に向けて下降し、これに伴い頸椎が枕本体の湾曲部に対して上昇するような動きを示した場合であっても、パスカルの原理により湾曲部に対応する部位へ円滑に水が即時に流動し、対応部位と適切に面接触を維持することができる。
【００２５】
前記枕本体の下面には、外縁が該枕本体に固着されている袋体が配設されており、さらに該袋体は、注入口を有し、該注入口を介して流体が注入されていることが望ましい。
【００２６】
かかる構成にあっては、前記袋体に注入する流体の量を変更することで、該袋体の厚みを変更し、そして該枕本体の高さを自在に変更することができる。
【００２７】
前記枕本体からは、液体が注入された袋体が差し出されており、該袋体が折り返されることで、該袋体が該枕本体に載置された使用者の頭部上に載置可能となっていることが望ましい。
【００２８】
かかる構成にあっては、例えば該液体を氷水等の保冷剤とすることで、使用者の頭部（例えば目頭）を冷却して快適な睡眠を確保することができる。
【００２９】
前記後頭部支持部、前記顎支持部、及び前記頸椎支持部のうち少なくともいずれかの部位を構成する湾曲面の主要部は、使用前において二次曲面の一部により構成されていることが望ましい。
【００３０】
前記湾曲面が緩やかな二次曲面によって構成されていると、鋭角的な凸面や凹面を有する形状によって形成されているものよりも前記枕本体の内圧をより均一にして、近似的に二次曲面により構成されていると考えられる人体の頭部及び首部若しくは顎の各表面と無理なく接触させることができるものとなる。
【発明の効果】
【００３１】
本発明の枕は、水の浮力に頼ることなく仰臥位においても横臥位においても快適な姿勢を保つことができ、荷重が一箇所に片寄ることがなく、充填物の劣化による機能低下を防ぎ、更に仰臥位においても頭部の熱を十分に発散することができるとともに頭皮に対して十分な通気を確保することができる。そして後頭部の発汗による不快感を防ぐこともできる。
【図面の簡単な説明】
【００３２】
【図１】実施例１の枕であって、（ａ）は平面図、（ｂ）は正面図。
【図２】（ａ）は図１（ａ）におけるＡ−Ａ線断面図、（ｂ）は図１（ａ）におけるＢ−Ｂ線断面図。
【図３】実施例１の枕を仰臥位で使用した状態を示す図であって、（ａ）は平面図、（ｂ）は（ａ）のＣ−Ｃ線断面図。
【図４】実施例１の枕を横臥位で使用した状態を示す図であって、（ａ）は平面図、（ｂ）は（ａ）のＤ−Ｄ断面図。
【図５】実施例２の枕であって、（ａ）は底面図、（ｂ）は側面図。
【図６】実施例３の枕の側断面図。
【発明を実施するための形態】
【００３３】
以下、本発明の枕を具体化した実施例を詳細に説明する。なお、本発明は、下記に示す実施例に限定されることはなく、適宜設計変更が可能である。
【００３４】
〔実施例１〕
図１〜３に実施例１の枕１を示す。なお、説明上、該枕１において使用者ｈの頭部が載置された際の使用者ｈの頭頂方向を先端方向とし、使用者ｈの首方向を基端方向とする。
【００３５】
該枕１は、水が注入可能な袋状の枕本体２からなり、該枕本体２の下面側に注水口３が設けられている。
【００３６】
該枕本体２は非透水性で伸縮性のある合成樹脂の膜材料からなる。該伸縮性膜材料としては、例えばアクリルゴム、ニトリルゴム、ウレタンゴム、ポリウレタンなどの合成ゴム材料が選択可能であるが、本発明の条件を満たすものであれば特にこれらに限定されるものではない。
【００３７】
次に、注水口３を介して水が充填された枕本体２の外観形状について説明する。
該枕本体２の上面であって平面視略中央には、該上面において周囲より高さが低い第１上面側凹部４が形成されている。そして、該第１上面側凹部４の左右両側には上方に向けて隆起するように隆起部６が形成されている。
【００３８】
さらに該第１上面側凹部４には、該第１上面側凹部４から基端方向に向けて形成されている第２上面側凹部５が連成されている。該第２上面側凹部５の底面は、該第１上面側凹部４から枕本体２の基端に向かって上に凸に湾曲しており、該第２上面側凹部５の底部に湾曲部７が形成されている。
【００３９】
また該第１上面側凹部４の底部４ａは該枕本体２の下面より高い位置に定められている。そして、該底部４ａにおいて、該枕本体２の上面を構成する伸縮性膜材料と下面を構成する伸縮性膜材料とが接着されている。さらに、該接着された該底部４ａには該枕本体２の上下方向に貫通した通気孔８が形成され、しかも該枕本体２の下面側にあっては、該通気孔８の周囲が該通気孔８の孔縁に向かって傾斜して下面側凹部９が形成されている。なお、後述するように、該枕本体２が床面ＧＬに置かれ、かつ使用者ｈの頭部が載置された状態にあっては、該下面側凹部９によって、該通気孔８の孔縁と床面ＧＬとの間に空隙が形成されることとなる（図３参照）。
【００４０】
そして、図３に示すように、前記第１上面側凹部４の内周面部が、上向きに横臥した仰臥位の使用者ｈの後頭部の略全面に面接触して該後頭部を支持する後頭部支持部４０とされ、前記第２上面側凹部５の湾曲部７が、仰臥位の使用者ｈの頸椎に対応する部位に面接触して該部位を支持する頸椎支持部７０とされている。さらに、図４に示すように、前記隆起部６が、横臥位の使用者ｈの頬骨及び下顎骨に対応する部位に面接触してこれを支持する顎支持部６０とされている。
【００４１】
なお、本実施例における使用前における前記枕本体２の前記後頭部支持部４０、前記顎支持部６０、及び前記頸椎支持部７０を構成する湾曲面の主要部は、いわゆる二次曲面の一部により構成されている。これによって、使用者ｈに対して該枕本体２の内圧をより均一にして面接触させることができる。例えば、後頭部支持部４０の表面は、主に錐面の一部により構成される。また、使用前における顎支持部６０の表面は、主に楕円面の一部により構成される。また、使用前における頸椎支持部７０の表面は、主に楕円柱面若しくは一葉双曲面の一部により構成される。さらに、使用状態（頭部載置後）における前記枕本体２の前記後頭部支持部４０、前記顎支持部６０、及び前記頸椎支持部７０を構成する湾曲面の主要部も、二次曲面を部分的に含む形状になると考えられる。例えば、仰臥位において後頭部支持部４０の表面は、主に楕円放物面の一部により構成される。また、横臥位において顎支持部６０の表面は、主に二葉双曲面の一部により構成される。また、仰臥位において頸椎支持部７０の表面は、主に双曲放物面の一部により構成される。
【００４２】
使用状態における枕１は、前記使用者ｈの頭部及び首部と床面ＧＬとの間に形成される該枕本体２の内空において常時、静水圧が発生するのに十分な量の水が介在する（通気孔８内に対応する部分は除く）。そしてさらに、使用者ｈの頭部及び首部の自重により、該枕本体２の第１上面側凹部４を構成する伸縮性膜材料及び第２上面側凹部の湾曲部７を構成する伸縮性膜材料及び隆起部６を構成する伸縮性膜材料のうち少なくともいずれかの一部には収縮方向への内部応力が発生した状態となる。このとき、該枕本体２は、使用者ｈの姿勢変化等によっても前記枕１の下部は形状がほぼ維持されており、床面ＧＬに対して移動することなく安定保持される。
【００４３】
これに対して、使用者ｈと枕本体２との接触部分は、使用者ｈの姿勢変化に追従して即時変形し、使用者ｈの姿勢が安定した際には使用者ｈと接触する部位において静水圧が均等となり、伸縮性膜材料に張力が生じた状態を維持しつつ安定的に頭部を支持する。また、いわゆるパスカルの原理に基づき、かかる使用者ｈと接触する枕本体２の部分は、寝返り時の身体の動きや、あるいは呼吸時又はいびき時の胸郭等のわずかな動きに対して、即時に柔軟に変形する。具体的には、仰臥位において人は呼吸時の胸郭の動きに連動して頸椎が僅かにしなる動きを示すが、そのしなり時に見られる、後頭部が枕本体２の第１上面側凹部４に向けて下降し、これに伴い頸椎が湾曲部７に対して上昇するような動きの際にも、湾曲部７に対応する部位へ円滑に水が即時に流動し、対応部位に適切に面接触して確実にこれらを支持する。
【００４４】
また、通気孔８が設けられることにより使用者ｈの後頭部に対して通気が確保されるため、例えば寝返りに伴う通気孔８の開放の度に、後頭部周囲における輻射・対流が円滑になり、後頭部の発汗による不快感を防ぐことができる。また、枕本体２に充填された水に使用者ｈの後頭部や頸部から発生する熱が伝導されるため、該熱を好適に吸収することもできる。これにより、頭部におけるうつ熱の蓄積量を飛躍的に低減することができる。さらには、頭部の最下端部が通気孔８内に配されることで、該最下端部が枕本体２あるいは床面ＧＬに対して非接触となると共に、該最下端部の周辺が枕本体２と面接触して第1上面側凹部４を構成する伸縮性膜材料によって頭部自身が吊持されるような状態となる。このため、頭部の表面に対する応力集中がより一層回避されることとなる。
【００４５】
本実施例においては、床面ＧＬから前記隆起部６の頂点までの高さＨ１は３０ｍｍ、床面ＧＬから前記通気孔８の中心までの高さＨ２は１５ｍｍとされ、Ｈ１：Ｈ２＝１：２とされている。最適な高さＨ１，Ｈ２は、個人差があるが、概ねＨ１：Ｈ２＝２：１〜３：１であり、前記Ｈ２は１５ｍｍ以上６５ｍｍ以下の範囲内（子供用から大人用まで適用可）で適宜設定される。この範囲から外れた構成は、使用者の体格に合わなかったり、適切に枕本体内空に水の層が形成されなかったり、伸縮性膜材料の膜張力（収縮方向への内部応力）が発生しなかったりしてしまう。
【００４６】
上記範囲の寸法の枕１を使用した使用者ｈは、仰臥位で使用した際にも横臥位で使用した際にも直立姿勢とほぼ同一の姿勢を保つことができる。また、横臥位にあっては、顔の中心軸線ＣＬを基準とした下顎の落下が阻止される。つまり、上記した条件を満たす寸法を選択することにより、最も安定した頭部位置を維持することができる形状が得られ、かつそれを保つのに十分な水量を確保した枕１を構成することが可能となる。
【００４７】
また、図１等に示すように、前記通気孔８の中心を通り、かつ前記枕本体２の基端から先端に向かう水平な軸線Ｌ上にあって、該通気孔８の中心から該枕本体の先端までの距離Ｓ１、及び該通気孔８の中心から該枕本体２の基端までの距離Ｓ２は、Ｓ１≦Ｓ２であることが望ましい。
【００４８】
かかる構成とすることにより、枕本体２に水を注入したときに距離Ｓ２に対応する前記湾曲部７における床面ＧＬからの高さを、距離Ｓ１に対応する部位のなかで最も床面ＧＬから高い位置の高さに対して、それと等高あるいはそれよりも高く定めることが可能となる。
【００４９】
〔実施例２〕
図５に実施例２の枕１０を示す。
該枕１０は、実施例１の枕１の枕本体２の下面に、外縁が部分的に該枕本体２に固着（溶着）されている袋体１１が配設されており、さらに該袋体１１には、注入口１１ａが設けられており、該注入口１１ａを介して空気が注入されている。
【００５０】
前記枕１０は、前記袋体１１に注入された空気の量を変更することによって袋体１１の厚みが調整自在であり、これにより使用時における前記枕本体２の高さを微調節することができる。なお、空気に代えて水を注入するようにしてもよい。
【００５１】
〔実施例３〕
図６に実施例３の枕２０を示す。
該枕２０は、枕本体２から袋体１２が差し出されている。該袋体１２内には水又は氷水が注入されており、該袋体１２が使用者ｈの頭部側に折り返されることで、該枕本体２に載置された使用者ｈの頭部（例えば目頭）上に載置可能とされている。
【００５２】
上記のように、前記袋体１２を使用者ｈの頭部上に載置することで使用者ｈの頭部を冷却することができる。なお、該袋体１２の先端には、使用者ｈの鼻が配置される切欠部が設けられていてもよい。
【００５３】
なお、これまでに述べた枕１，１０，２０は、様々に設計変更が可能である。
例えば、枕本体２内を複数（例えば、中央、左右）の分室に区画形成し、分室ごとに水を適量だけ注入可能としてもよい。かかる構成とすることにより、各分室で水量を調整することにより、所要位置の高さをそれぞれ微調整することが可能となる。
【００５４】
また、枕本体２内に別体の袋体を挿入配置し、該袋体により空気室を構成してもよい。かかる構成とすることにより、枕本体２に注入すべき総水量を減らして枕本体２の所望の外観形状を確保することができ、水を注入した時の枕１，１０，２０の重量を小さくすることが可能となる。
【００５５】
また、前記袋体１１，１２を適宜組み合わせることも可能である。また、枕全体の形状寸法は、大人用、子供用などに応じて適宜設定可能である。また、袋本体２内には、氷を含む水やお湯を注入してもよいし、他のものを含む水を注入してもよい。
【図１】
2014068740.tif 000003
【図２】
2014068740.tif 000004
【図３】
2014068740.tif 000005
【図４】
2014068740.tif 000006
【図５】
2014068740.tif 000007
【図６】
2014068740.tif 000008